(57)【要約】【課題】空調システムの送風機によって生じる騒音を著しく低減させ、省エネルギ性を高め、美観性を向上させることが可能な置換空調用吹出ユニットを提供する。【解決手段】縦型の外壁部材と天板と底板とを有し外壁部材に多数の通風孔が設けられているガラリチャンバーと、縦型ダクトを受け入れるために天板の中央付近に設けられているダクト接続口とを備える。ダクト接続口の下端を気密に包囲するようにソックダクト取付用案内部材が取り付けられ、ソックダクト取付用案内部材の周囲に第１のワンタッチ接続用テープが貼り付けられている。ガラリチャンバー内を鉛直方向にソックダクトが配置され、ソックダクトの下端は封止され、ソックダクトの上端付近に第２のワンタッチ接続用テープが貼り付けられている。第１と第２のワンタッチ接続用テープが接続されることによりソックダクトがダクト接続口から吊り下げられる。【選択図】図１
2012184867.tif 000002
【特許請求の範囲】
【請求項１】
円形，三角形又は長方形の水平断面形状を有する縦型の外壁部材と、天板と底板とを有し、前記外壁部材に多数の通風孔が設けられているガラリチャンバーと、
前記ガラリチャンバーに上方から接続される縦型ダクトを受け入れるために前記天板の中央付近に設けられているダクト接続口とを備えてなる置換空調用吹出ユニットであって、
前記ダクト接続口の下端を気密に包囲するようにソックダクト取付用案内部材が取り付けられ、当該ソックダクト取付用案内部材の周囲に第１のワンタッチ接続用テープが貼り付けられており、
前記ガラリチャンバー内を鉛直方向にソックダクトが配置され、当該ソックダクトの下端は封止されており、
前記ソックダクトの上端付近に第２のワンタッチ接続用テープが貼り付けられており、
前記第１と第２のワンタッチ接続用テープが接続されることにより前記ソックダクトが前記ダクト接続口から吊り下げられるようになっていることを特徴とするソックダクト吊下式置換空調用吹出ユニット。
【請求項２】
前記ソックダクト取付用案内部材は前記ダクト接続口の下方部分で構成されている請求項１記載の吹出ユニット。
【請求項３】
前記第２のワンタッチ接続用テープの一部がファスナーで開閉可能となっている請求項１又は２記載の吹出ユニット。
【発明の詳細な説明】
【技術分野】
【０００１】
本発明は、音楽や演劇を対象としたホール等のように天井が高くなっている空間を置換空調方式で空調するためのユニットに関し、特にソックダクトを用いた置換空調用の吹出ユニットに関する。
【背景技術】
【０００２】
従来、このような高天井空間の空調は天井吹出し・床吸い込み方式による空間全域均一空調が一般的であったが、天井付近などを無駄に冷却することを避けるために、床から２ｍ程度の人間が活動する領域だけを快適な温度とする置換空調方式が採用されるようになった。置換空調方式は、所定温度の空調空気を低速で押し出すように供給して室内の空気との混合を抑制するもので、床や壁から微速で空調空気を吹き出し、高天井空間において人体の発熱から生じる上昇気流を利用して換気を行う方式である。
【０００３】
しかしながら、許容騒音値がＮＣ−２５以下を求められる劇場ホールの舞台を置換空調する場合、従来式の吹出方式を用いると、ガラリ（通風孔）等の吹出面での風速が均一にならず、部分的に風速が速くなることがある。その結果、騒音が発生して許容騒音値を超えたり、居住域空間でドラフトを感じるなどの問題が発生する。
【０００４】
一方、天然繊維や合成繊維で作られるソックダクトを用いた空調や換気設備は、工場やクリーンルームなど多くの用途で使用されているが、天井付近に太いソックダクトを水平方向に沿わせるようにした露出による使用が一般的であり、外観上の問題から採用を避ける場合もあった。音楽や演劇を対象としたホールなどでは美観の面からソックダクト方式の採用はこれまで困難とされていた。
【０００５】
図６に従来型の空調空気吹出ユニット６０とその風速曲線を示す。外壁面に多数のガラリ（通風孔）１８が形成されたガラリチャンバー２０の中央に向けて、上方の接続ダクト２２から新鮮な空調空気が供給される。空調空気の流れはその勢いから床面付近で風速が最大となるような偏流が発生しやすく、ガラリチャンバーの上と下とでは吹き出し風速が不均一となり、床面付近で発生する過大風速によって騒音が発生するという大きな欠点があった。
【先行技術文献】
【特許文献】
【０００６】
【特許文献１】特開２００５−２４１１０５「置換空調システム」には、二重床の内部空間からタイルカーペットを介して微風速の空調空気を室内に供給する置換空調システムが記載されている。
【０００７】
【特許文献２】特開２０００−２３０７４７「冷却装置」には、作業室の天井部に冷却ユニットと静音箱体と布地製ソックダクトとを水平方向に連結して取り付け、送風機から吐出される冷気を静音箱体を介してソックダクトの周囲から冷却空気を吐出し、作業室内を冷却する装置が記載されている。
【０００８】
【特許文献３】特開２００４−１０１０２７「クリーンストッカー」には、外壁と棚の背面の整流板との間に天然繊維又は合成繊維製のソックダクトを垂直方向に配置し、送風チャンバを形成して棚部分のクリーンエアの流れを均一・均等かつ静流・整流・低速化して層流となし、ソックダクトのもつフィルター効果を付加させて塵埃や温度調節の精度を向上させたクリーンストッカーが記載されている。
【発明の概要】
【発明が解決しようとする課題】
【０００９】
本発明の目的は、空調システムの送風機によって生じる騒音を著しく低減させることができると共に、省エネルギ性を高め、美観性を向上させることが可能な置換空調用吹出ユニットを提供することにある。
【課題を解決するための手段】
【００１０】
前述した目的を達成するため、本発明は、その基本的構成として、円形，三角形又は長方形の水平断面形状を有する縦型の外壁部材と、天板と底板とを有し、前記外壁部材に多数の通風孔が設けられているガラリチャンバーと、前記ガラリチャンバーに上方から接続される縦型ダクトを受け入れるために前記天板の中央付近に設けられているダクト接続口とを備えてなる置換空調用吹出ユニットである。
【００１１】
この置換空調用吹出ユニットでは、前記ダクト接続口の下端を気密に包囲するようにソックダクト取付用案内部材が取り付けられ、当該ソックダクト取付用案内部材の周囲に第１のワンタッチ接続用テープが貼り付けられており、前記ガラリチャンバー内を鉛直方向にソックダクトが配置され、当該ソックダクトの下端は封止されており、前記ソックダクトの上端付近に第２のワンタッチ接続用テープが貼り付けられており、前記第１と第２のワンタッチ接続用テープが接続されることにより前記ソックダクトが前記ダクト接続口から吊り下げられるようになっている。
【００１２】
なお、前記ソックダクト取付用案内部材は前記ダクト接続口の下方部分で構成することもできる。
さらに好適な態様として、第２のワンタッチ接続用テープの一部がファスナーやジッパー（登録商標又は商品名）で開閉可能となっている。
【発明の効果】
【００１３】
かかる構成に基づき、本発明による吹出ユニットでは、
（１）ガラリチャンバー内に組み込んだソックダクトを通して、風速を均一化させた後にガラリから吹出させることで、置換空調システムにおける吹出気流速度を均一化させ、ドラフトの防止及び温熱環境の向上を図ることができる。
（２）ガラリの開口率を４８％程度にすれば吹出気流の速度を０．５ｍ／ｓ以下に低く抑えることが可能になり、発生騒音を許容値であるＮＣ−２５以下に低騒音化することができる。
（３）ソックダクトが露出しないので吹出ユニットの美観性の向上を図ることができる。
【００１４】
（４）ガラリチャンバーを組立式とすることにより、設置スペースや高さ制限への対応自由度の高い吹出ユニットを設計することが可能になる。
（５）現地組立てを可能とすることで大型サイズに対応可能となる。
（６）ワンタッチ接続テープを使用することで、ソックダクトの取付け・取外し・折り畳みが１人の作業者でできるなど、メンテナンス性を向上させることができる、などの効果が得られる。
【図面の簡単な説明】
【００１５】
【図１】本発明による置換空調用吹出ユニットの概略正面図。
【図２】ソックダクト取付用案内部材とソックダクトとの接続状態を表す分解斜視図。
【図３】大型化した置換空調用吹出ユニットの分解斜視図。
【図４】図３の置換空調用吹出ユニットの正面図。
【図５】図３の置換空調用吹出ユニットの側面図と中央断面図。
【図６】従来の置換空調用吹出ユニットの概略正面図。
【発明を実施するための形態】
【００１６】
図１は本発明の好適な実施例に基づく置換空調用吹出ユニット１０の全体を表しており、このユニット１０は、円形又は長方形の水平断面形状を有する縦型の外壁部材１２と、天板１４と底板１６とを有し、外壁部材１２に多数の通風孔（ガラリ）１８が設けられているガラリチャンバー２０と、ガラリチャンバー２０に上方から接続される縦型ダクト２２を受け入れるために天板１４の中央付近に設けられているダクト接続口２４とを備えている。
【００１７】
本発明の特徴に基づき、この置換空調用吹出ユニット１０では、図２に示すようにダクト接続口２４の周囲を気密に包囲する寸法のソックダクト取付用案内部材２６が取り付けられ、ソックダクト取付用案内部材２６の外周に第１のワンタッチ接続用テープ２８、例えばマジックテープ（登録商標又は商品名）のオスが貼り付けられている。
【００１８】
さらに、ガラリチャンバー２０内を鉛直方向に延伸するソックダクト３０が配置され、ソックダクト３０の下端３２は従来品と同様に封止されており、ソックダクト３０の上端３４の内周に第２のワンタッチ接続用テープ３６、例えばマジックテープ（登録商標又は商品名）のメスが貼り付けられており、第１と第２のワンタッチ接続用テープが接続されることによりソックダクト３０がダクト接続口２４から吊り下げられるようになっている。
【００１９】
さらに、図２に示すように、第２のワンタッチ接続用テープ３６の一部がファスナー３８で例えば１０ｃｍほど開閉可能となっている。マジックテープによる取付け手順は、図２に示すように、最初にファスナー３８を１０ｃｍほど開いた状態で、ソックダクト側マジックテープ（メス）３６をダクト接続口側のマジックテープ（オス）２８のＡ部から順に取り付ける。マジックテープのオスメスが噛み合って接続が完了したら、ファスナー３８を持ち上げて閉じることにより隙間を無くす。取り外しは上記と逆の手順で行う。
【００２０】
かくして、ガラリチャンバー２０のダクト接続口２４に上方から接続ダクト２２が接続されると、冷却装置で冷却された空調空気がガラリチャンバー２０の中央に吊り下げられたソックダクト３０内に流入し、繊維質のソックダクト３０の微細な孔を通じて周囲へと送風される。ソックダクトの抵抗は不均一なため、ガラリからの面風速はほぼ均一な状態となり、しかも吹出気流は０．５ｍ／ｓ以下に保つことができて、ドラフトを感じさせずに居住域空間での温度不均一を解消し、温熱環境を良好な状態にすることができる。
【００２１】
ワンタッチ接続用テープは前述したマジックテープに限定されることなく、後で分離可能な接着剤が塗布されたテープや、凹凸式で弾力性を有する合わせテープのようなタイプでも良い。
【００２２】
図３は、本発明による置換空調用吹出ユニット４０を、音楽や演劇を対象としたホールに適合させるために大型化させたときの好適な実施例を表している。図３において、ガラリチャンバー（アルミ製）５０は組立式となっており、その外壁部材は正面側パネル４１，４２、右側面パネル４３，４４、左側面パネル４５，４６、裏板４７、天板１４、底板１６をフレーム（角鋼板製）４９にボルト締めで連結するように作られている。天板１４には補強用のアングル４８が固着され、中央付近にはダクト接続口（鋼板製）２４が固定されている。ソックダクト３０は上部のワンタッチ接続用テープによりダクト接続口２４にワッタッチ式に取り付けられるようになっている。
【００２３】
図４は図３の吹出ユニット４０の正面から見た外観を表しており、その外形寸法は、左右方向Ｗが約３１００ｍｍ、高さＨが約２５００ｍｍ、ソックダクトの左右方向Ｓが約１４００ｍｍに作られている。正面側パネル４１，４２にはそれぞれガラリ（通風孔）となるスリットＡ，Ｂ，Ｃ，Ｄが設けられている。ガラリの開口率は４８％、面風速は０．５ｍ／ｓに設定した。ダクト接続口２４の高さは約１５０ｍｍ、風速は５ｍ／ｓ以下に設定した。
【００２４】
図５は図３の吹出ユニット４０の側面から見た外観（Ａ）と中央付近の断面（Ｂ）とを表しており、その外形寸法は、前後方向Ｄが約７００ｍｍ、ソックダクトの奥行きＴが約４００ｍｍに作られている。
このように本発明の吹出ユニットを組立式に作ることにより、巨大なホールであっても本発明を適用した空調方式を採用できることになり、その応用範囲は極めて広い。
【００２５】
本発明に基づく吹出ユニットの気流確認及び風速分布の測定実験を行った。吹出ユニットのサイズを８００×８００×２５００ｍｍ、風量４２００ｍ3 ／ｈ、吹出温度２３．２℃、室内温度２６℃、吹出ユニットの両側に壁を想定した箱を製作し実験を行った。その結果、床面から１００ｍｍ、３７０ｍｍ、９７０ｍｍ、１５７０ｍｍ、２１７０ｍｍの５つの測定点において、風速はいずれも１ｍ／ｓ以下となり、概ね均一な風速が得られた。
【産業上の利用可能性】
【００２６】
以上詳細に説明した如く、本発明による吹出ユニットによれば、置換空調システムにおける吹出気流速度を均一化させ、ドラフトの防止及び温熱環境の向上を図ることができ、吹出気流の速度を０．５ｍ／ｓ以下に低く抑えることが可能になり、発生騒音を許容値以下に低騒音化することができ、吹出ユニットの美観性の向上を図ることができるなど、その技術的効果には極めて顕著なものがある。
【符号の説明】
【００２７】
１０，４０  置換空調用吹出ユニット      １２  外壁部材
１４  天板                              １６  底板
１８  ガラリ（通風孔）                  ２０，５０  ガラリチャンバー
２２  接続ダクト                        ２４  ダクト接続口
２６  ソックダクト取付用案内部材
２８，３６  ワンタッチ接続テープ        ３０  ソックダクト
３２  下端                              ３４  上端
３８  ファスナー
【図１】
2012184867.tif 000003
【図２】
2012184867.tif 000004
【図３】
2012184867.tif 000005
【図４】
2012184867.tif 000006
【図５】
2012184867.tif 000007
【図６】
2012184867.tif 000008
【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
円形，三角形又は長方形の水平断面形状を有する縦型の外壁部材と、天板と底板とを有し、前記外壁部材に多数の通風孔が設けられているガラリチャンバーと、
前記ガラリチャンバーに上方から接続される縦型ダクトを受け入れるために前記天板の中央付近に設けられているダクト接続口とを備えてなる置換空調用吹出ユニットであって、
前記ダクト接続口の下端を気密に包囲するようにソックダクト取付用案内部材が取り付けられ、当該ソックダクト取付用案内部材の周囲に第１のワンタッチ接続用テープが貼り付けられており、
前記ガラリチャンバー内を鉛直方向にソックダクトが配置され、当該ソックダクトの下端は封止されており、
前記ソックダクトの上端付近に第２のワンタッチ接続用テープが貼り付けられており、
前記第２のワンタッチ接続用テープの一部がファスナーで開閉可能となっていて、前記ファスナーで前記第２のワンタッチ接続用テープの一部を開いた状態で前記第１のワンタッチ接続用テープと前記第２のワンタッチ接続用テープとが接続され、前記第１のワンタッチ接続用テープと前記第２のワンタッチ接続用テープとが接続された状態で前記ファスナにより前記第２のワンタッチ接続用テープの一部が閉じられることにより前記ソックダクトが前記ダクト接続口から吊り下げられるようになっていることを特徴とするソックダクト吊下式置換空調用吹出ユニット。
【請求項２】
前記ソックダクト取付用案内部材は前記ダクト接続口の下方部分で構成されている請求項１記載の吹出ユニット。
【手続補正２】
【補正対象書類名】明細書
【補正対象項目名】００１１
【補正方法】変更
【補正の内容】
【００１１】
この置換空調用吹出ユニットでは、前記ダクト接続口の下端を気密に包囲するようにソックダクト取付用案内部材が取り付けられ、当該ソックダクト取付用案内部材の周囲に第１のワンタッチ接続用テープが貼り付けられており、前記ガラリチャンバー内を鉛直方向にソックダクトが配置され、当該ソックダクトの下端は封止されており、前記ソックダクトの上端付近に第２のワンタッチ接続用テープが貼り付けられており、第２のワンタッチ接続用テープの一部がファスナーで開閉可能となっていて、ファスナーで第２のワンタッチ接続用テープの一部を開いた状態で第１のワンタッチ接続用テープと第２のワンタッチ接続用テープとが接続され、第１のワンタッチ接続用テープと第２のワンタッチ接続用テープとが接続された状態でファスナにより第２のワンタッチ接続用テープの一部が閉じられることにより前記ソックダクトが前記ダクト接続口から吊り下げられるようになっている。
【手続補正３】
【補正対象書類名】明細書
【補正対象項目名】００１２
【補正方法】変更
【補正の内容】
【００１２】
なお、前記ソックダクト取付用案内部材は前記ダクト接続口の下方部分で構成することもできる。